(57)【要約】【課題】印刷用紙の汚れならびに損紙が少なく、かつ印刷濃度ムラのない電子写真式印刷装置の駆動方法を提供する。【解決手段】印刷用紙２０が移動を始めるとほぼ同時にベルト状感光体１が回転を始めた後、帯電器２に電圧を印加させ一定の電位に帯電したベルト状感光体１が現像ロール６を通過時もしくは通過後に３本の現像ロール６の回転と現像バイアス電圧を印加させる。印刷終了時は、３本の現像ロール６を逆回転させ、現像材５を３本の現像ロール６上から退避させベルト状感光体１と現像材５が接触しないようにする。【選択図】    図２
2004271990.tif 000002
【特許請求の範囲】
【請求項１】
感光体と、その感光体を帯電させるための帯電器と、帯電した感光体上に静電潜像を形成するための書込み光源と、前記静電潜像を顕像化するための現像材と現像ロールを有して現像バイアス電圧を印加する現像機と、感光体上のトナーを連続紙に転写するための転写器とを有する電子写真式印刷装置の駆動方法において、
前記帯電器によって帯電した感光体の帯電先端部が前記現像ロールを通過したときもしくは通過後に、現像ロールの回転と現像バイアス電圧を印加することを特徴とする電子写真式印刷装置の駆動方法。
【請求項２】
感光体と、その感光体を帯電させるための帯電器と、帯電した感光体上に静電潜像を形成するための書込み光源と、前記静電潜像を顕像化するためのトナーと現像ロールを有して現像バイアス電圧を印加する現像機と、感光体上のトナーを連続紙に転写するための転写器とを有する電子写真式印刷装置の駆動方法において、
前記現像ロールが正逆転可能であって、印刷終了時に前記現像ロールを印刷時とは反対方向に回転させて、前記現像材を前記感光体から退避させることを特徴とする電子写真式印刷装置の駆動方法。
【請求項３】
感光体と、その感光体を帯電させるための帯電器と、帯電した感光体上に静電潜像を形成するための書込み光源と、前記静電潜像を顕像化するための現像材と現像ロールを有して現像バイアス電圧を印加する現像機と、感光体上のトナーを連続紙に転写するための転写器とを有する電子写真式印刷装置の駆動方法において、
前記帯電器によって帯電した感光体の帯電先端部が前記現像ロールを通過したときもしくは通過後に、現像ロールの回転と現像バイアス電圧を印加して印刷を行ない、
前記現像ロールが正逆転可能であって、印刷終了時に前記現像ロールを印刷時とは反対方向に回転させて、前記現像材を前記感光体から退避させることを特徴とする電子写真式印刷装置の駆動方法。
【発明の詳細な説明】
【０００１】
【発明の属する技術分野】
本発明は、電子写真式印刷装置に係り、特に連続紙を使用するタイプの電子写真式印刷装置の駆動方法に関するものである。
【０００２】
【従来の技術】
従来の電子写真式印刷装置の一例を図１とともに説明する。同図に示すように１〜８式（この例では８式）の印刷ユニット１０を連続した印刷用紙２０の搬送方向に沿って、その両側に交互に配置している。
【０００３】
印刷ユニット１０は、例えばベルト状感光体１の周囲に、ベルト状感光体１を例えば−７００Ｖに帯電させるための帯電器２、複数のＬＥＤ素子からなる書込み光源３、黒色粉体インクのトナーと磁性を有するキャリアからなる現像材５を充填した現像機４、現像機４内の現像材５を図示していないモータを回転させることにより回転搬送させる内部に磁極を有する３本の現像ロール６、例えば＋７００ｍＡの電流を流してベルト状感光体１上のトナーを印刷用紙２０側に移す転写器７、ベルト状感光体１上に残ったトナーを除去すために内部に例えばレーヨンからなるブラシ部材を回転させる清掃機８などを配置している。
【０００４】
この電子写真式印刷装置は、印刷用紙２０が移動を開始すると同時に、帯電器２の帯電電圧印加、現像機４の回転と現像バイアス印加、転写器６の転写電流印加、清掃機７の回転開始をしていた。図３は、従来の電子写真式印刷装置の動作タイミングチャートである。
【０００５】
従来の電子写真式印刷装置は前述のような動作タイミングであるため、ベルト状感光体１の帯電電位が低い部分にトナーが付着してしまい、付着したトナーが印刷用紙２０に転写されてしまうため印刷開始時に印刷用紙２０が汚れる不具合があった。
【０００６】
この印刷汚れを防止するために印刷開始時には白紙を流す必要があり、無駄紙（損紙）が発生する不具合があった。そのため例えば特許文献１のように現像機４を印刷停止時には退避させるようにした電子写真式印刷装置の提案がある。
【０００７】
【特許文献１】
特開平７−３３３９３７号公報
【０００８】
【発明が解決しようとする課題】
従来の電子写真式印刷装置は、前述のように印刷用紙２０が移動を開始すると同時に、帯電器２の帯電電圧印加、現像機４の回転と現像バイアス印加、転写器６の転写電流印加、清掃機７の回転開始をしていた。そのため前記帯電器２によって帯電された帯電先端部よりも感光体回転方向上流側のベルト状感光体１の帯電電位が低い部分にトナーが付着してしまい、付着したトナーが印刷用紙２０に転写されて、印刷開始時に印刷用紙２０が汚れるという欠点があった。この印刷汚れを防止するために印刷開始時には白紙を流す必要があり、無駄紙（損紙）が発生する不具合があった。
【０００９】
そのため現像機４を印刷停止時には退避させるようにした構成の電子写真式印刷装置もあるが、重量が５０ｋｇを超える現像機４を使用する場合、短時間で退避させると機械的衝撃により電子写真式印刷装置に振動が起こり、印刷濃度ムラとなって現れるという欠点があった。
【００１０】
本発明の目的は、このような従来技術の欠点を解消し、印刷開始時に印刷用紙の汚れがなく、損紙が少ない電子写真式印刷装置の駆動方法を提供することにある。
【００１１】
【課題を解決するための手段】
前記目的を達成するため本発明は、感光体と、その感光体を帯電させるための帯電器と、帯電した感光体上に静電潜像を形成するための書込み光源と、前記静電潜像を顕像化するための現像材と現像ロールを有して現像バイアス電圧を印加する現像機と、感光体上のトナーを連続紙に転写するための転写器とを有する電子写真式印刷装置の駆動方法を対象とするものである。
【００１２】
そして本発明の第１の手段は、前記帯電器によって帯電した感光体の帯電先端部が前記現像ロールを通過したときもしくは通過後に、現像ロールの回転と現像バイアス電圧を印加することを特徴とするものである。
【００１３】
本発明の第２の手段は、前記現像ロールが正逆転可能であって、印刷終了時に前記現像ロールを印刷時とは反対方向に回転させて、前記現像材を前記感光体から退避させることを特徴とするものである。
【００１４】
本発明の第３の手段は、前記帯電器によって帯電した感光体の帯電先端部が前記現像ロールを通過したときもしくは通過後に、現像ロールの回転と現像バイアス電圧を印加して印刷を行ない、前記現像ロールが正逆転可能であって、印刷終了時に前記現像ロールを印刷時とは反対方向に回転させて、前記現像材を前記感光体から退避させることを特徴とするものである。
【００１５】
【発明の実施の形態】
本発明の実施形態を図２とともに説明する。図２は本発明の実施形態に係る印刷ユニットの概略構成図である。
【００１６】
電子写真式印刷装置の全体的な概略構成は図１と同じであり、同図に示すように１〜８式の印刷ユニット１０を連続した印刷用紙２０の搬送方向に沿って、その両側に交互に配置している。
【００１７】
印刷ユニット１０は図２に示すように、ベルト状感光体１の周囲に、ベルト状感光体１を所定の−７００Ｖに帯電させるための帯電器２、複数のＬＥＤ素子からなる静電潜像を形成するための書込み光源３、黒色粉体インクのトナーと磁性を有するキャリアからなる現像材５を充填した現像機４、現像機４内の現像材５を図示していないモータを回転させることにより回転搬送させる内部に磁極を有する３本の現像ロール６ａ，６ｂ，６ｃ、＋７００ｍＡの電流を流してベルト状感光体１上のトナーを印刷用紙２０側に移す転写器７、ベルト状感光体１上に残ったトナーを除去するために内部に例えばレーヨンからなるブラシ部材を回転させる清掃機８などを配置している。
【００１８】
前記構成において、印刷用紙２０が移動を始めるとほぼ同時にベルト状感光体１が回転を始める。そして帯電器２で帯電したベルト状感光体１の帯電先端部が３本の現像ロール６ａ，６ｂ，６ｃを通過したとき、もしくは通過後に現像ロール６ａ，６ｂ，６ｃの回転と現像バイアス電圧を印加させる。印刷時は同図に矢印で示すように現像ロール６ａを反時計回り方向に回転させ、現像ロール６ｂと現像ロール６ｃを時計回り方向に回転させて、現像材５をベルト状感光体１側に連続的に供給する。
【００１９】
なお、前述の現像ロール６ａ，６ｂ，６ｃの回転開始と現像バイアス電圧の印加開始のタイミングは、帯電器２と現像ロール６の間の距離とベルト状感光体１の周速度が予め分かっているから、帯電器２の帯電開始から所定時間経過後となる。
【００２０】
印刷終了時は、現像ロール６ａ，６ｂ，６ｃを回転させる駆動モータを印刷時とは逆方向に回転させることにより、３本の現像ロール６ａ，６ｂ，６ｃを逆回転させ、すなわち図２に示す現像ロール６ａ，６ｂ，６ｃの矢印とは反対側に回転させ、現像材５を３本の現像ロール６ａ，６ｂ，６ｃ上から退避させて、ベルト状感光体１と現像材５が接触しないようにする。現像ロール６ａ，６ｂ，６ｃは所定時間逆転させた後、回転を停止する。図４は、本発明の実施形態に係る電子写真式印刷装置のタイミングチャートである。
【００２１】
前述のような現像機４の駆動制御は、全ての印刷ユニット１０によって実行される。
【００２２】
前記実施形態ではベルト状感光体を用いたが、ドラム状感光体を用いる電子写真式印刷装置においても本発明は適用可能である。
【００２３】
【発明の効果】
本発明は前述のような構成になっており、印刷用紙の汚れを防止することができ，また損紙を低減させることが可能で、さらに印刷開始時に振動がないため印刷濃度ムラを防止することができるなどの特長を有している。
【図面の簡単な説明】
【図１】電子写真式印刷装置の概略構成図である。
【図２】本発明の実施形態に係る電子写真式印刷装置に用いる印刷ユニットの概略構成図である。
【図３】従来の電子写真式印刷装置のタイミングチャートである。
【図４】本発明の実施形態に係る電子写真式印刷装置のタイミングチャートである。
【符号の説明】
１：ベルト状感光体、２：帯電器、３：書込み光源、４：現像機、５：現像材、６，６ａ，６ｂ，６ｃ：現像ロール、７：転写器、８：清掃機、１０：印刷ユニット、２０：印刷用紙
【図１】
2004271990.tif 000003
【図２】
2004271990.tif 000004
【図３】
2004271990.tif 000005
【図４】
2004271990.tif 000006